(57)【特許請求の範囲】
【請求項１】
回転軸の一端を天井面側に固定する取り付け手段と、前記回転軸を中心に回転する電動機と、前記電動機の全部または一部を内包する回転体と、前記電動機または前記回転体に固定される複数の羽根板を備え、前記電動機と共に前記羽根板が回転し送風を行う天井扇で、天井扇の運転時に前記羽根板の弦長が延長され、前記羽根板の面積が増えるようにした天井扇。
【請求項２】
一つの羽根板が、回転体に固定される主板と、一つ以上の弦長延長板で構成されている請求項１記載の天井扇。
【請求項３】
羽根板の回転による遠心力で前記羽根板の弦長が延長されるようにした請求項１または２記載の天井扇。
【請求項４】
遠心力で弦長が延長された羽根板を、ばねの復元力によって復元するようにした請求項３記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図２０を参照しながら説明する。
【０００４】
図に示すように、天井扇１０１の全体構成はキャノピー（上カバー）１０２と中カバー１０３と電動機の外側回転体１０４と下カバー１０５と、外側回転体１０４のホルダー１０６に羽根１０７が取り付けられているものからなり、キャノピー１０２の内部の簡易取り付け金具１０８が天井１０９にネジ止めされて天井扇１０１は吊り下げられている。
【０００５】
上記構成において、羽根１０７は回転軸を中心とする周方向に所定の角度を持って取り付けられており、電動機により羽根１０７が回転すると、羽根１０７の昇圧作用により、正方向の回転では羽根１０７の外周から天井１０９と羽根１０７の間を通った空気が下方に送風され、逆回転では羽根１０７の下方から天井１０９と羽根１０７の間を通って羽根１０７の外周に送風される。よって、主に夏季に天井扇１０１の直下付近で涼を取る場合は正方向回転で使用され、主に冬季に、直接風で冷風感を感じないように部屋全体の空気の循環を促す場合は逆回転で使用される。
【先行技術文献】
【特許文献】
【０００６】
【特許文献１】特開平１１−２１０６７８号公報
【発明の概要】
【発明が解決しようとする課題】
【０００７】
このような従来の天井扇では、羽根１０７の外径や弦長が一定であり、涼風感の向上と送風の到達範囲を拡大させるために風速、風量を増大させるには回転数を上昇させるしか方法がないため、電動機の能力や羽根板の強度により増大量が限定され、また回転数の上昇により騒音が上昇するという課題があり、回転数の上昇を抑制して、風速、風量を増大させ、広範囲に送風することが要求されている。
【０００８】
また、羽根１０７の外径が一定であるため、運転停止時に羽根１０７の自重により接合部であるホルダー１０６に常に負荷がかかるためホルダー１０６の材料が疲労するという課題があり、また羽根１０７の自重による外周部の垂れや、羽根１０７の外径や弦長が大きいことによる圧迫感により外観が悪いという課題があり、運転停止時に、接合部の負荷を軽減し、外観を向上することが要求されている。
【０００９】
本発明は、このような従来の課題を解決するものであり、運転時に回転数の上昇を抑制して風速、風量を増大させ、広範囲に送風でき、運転停止時の外観を向上できる天井扇を提供することを目的としている。
【課題を解決するための手段】
【００１０】
本発明の天井扇は上記目的を達成するために、回転軸の一端を天井面側に固定する取り
付け手段と、回転軸を中心に回転する電動機と、電動機の全部または一部を内包する回転体と、電動機または回転体に固定される複数の羽根板を備え、電動機と共に羽根板が回転し送風を行う天井扇で、天井扇の運転時に羽根板の弦長が延長され、前記羽根板の面積が増えるようにした天井扇としたものである。
【００１１】
この手段により、天井扇の運転中に風速、風量を増大させるために羽根板の弦長を増加させることにより、羽根板の仕事量が増加し、回転数の上昇を抑制して風速、風量を増大させ、広範囲に送風させることができ、また運転停止時に羽根板の弦長が短くなることにより外観を向上させることができる天井扇が得られる。
【００１２】
また他の手段は、一つの羽根板が、回転体に固定される主板と、一つ以上の弦長延長板で構成されている天井扇としたものである。
【００１３】
この手段により、簡素な構造で天井扇の運転時に羽根板の弦長が増加するようにできるため、低コストで回転数の上昇を抑制して風速、風量を増大させ、広範囲に送風させることができ、また運転停止時に羽根板が短くなることにより外観を向上させることができる天井扇が得られる。
【００１４】
また他の手段は、羽根板の回転による遠心力で羽根板の弦長が延長されるようにした天井扇としたものである。
【００１５】
この手段により、天井扇の風速、風量を増大させるために回転数を上昇させようとすると、天井扇に電動機による回転以外の外力を加えることなく遠心力により羽根板の弦長が大きくなり、羽根板の仕事量の増加により、さらに回転数の上昇を抑制して風速、風量を増大させ、広範囲に送風することができ、また運転停止時に羽根板の弦長が短くなり外観を向上することができる天井扇が得られる。
【００１６】
また他の手段は、遠心力で弦長が延長された羽根板を、ばねの復元力によって復元するようにした天井扇としたものである。
【００１７】
この手段により、運転時には天井扇に電動機による回転以外の外力を加えることなく羽根板の弦長を大きくさせて回転数の上昇を抑制して風速、風量を増大させ、広範囲に送風することができ、またばねの復元力により確実に運転停止時に羽根板の弦長を縮めることができ、運転停止時に外観を向上させることができる天井扇が得られる。
【発明の効果】
【００２２】
本発明によれば、運転時に回転数の上昇を抑制して風速、風量を増大させ、広範囲に送風でき、運転停止時の外観を向上できる天井扇を提供できる。
【図面の簡単な説明】
【００２３】
【図１】本発明の参考の形態１の停止時の天井扇を示す図（（ａ）斜視図、（ｂ）部分斜視図）
【図２】同参考の形態１の停止時の天井扇を示す図（（ａ）部分側面図、（ｂ）側面図）
【図３】同参考の形態１の運転時の天井扇を示す図（（ａ）斜視図、（ｂ）部分斜視図）
【図４】同参考の形態２の停止時の天井扇を示す図（（ａ）斜視図、（ｂ）部分側面図）
【図５】同参考の形態２の運転時の天井扇を示す図（（ａ）斜視図、（ｂ）側面図）
【図６】同参考の形態３の天井扇を示す図（（ａ）斜視図、（ｂ）部分側面図）
【図７】同参考の形態４の天井扇を示す側面図
【図８】同参考の形態５の天井扇を示す図（（ａ）停止時側面図、（ｂ）運転時側面図）
【図９】同参考の形態６の天井扇を示す部分側断面図
【図１０】同実施の形態１の天井扇を示す図（（ａ）停止時部分斜視図、（ｂ）運転時部分斜視図）
【図１１】同実施の形態１の天井扇を示す図（（ａ）停止時部分側面図、（ｂ）運転時部分側面図）
【図１２】同実施の形態１の天井扇を示す側面図
【図１３】同実施の形態２の天井扇を示す部分側断面図
【図１４】同参考の形態７の天井扇を示す図（（ａ）斜視図、（ｂ）側面図）
【図１５】同参考の形態８の天井扇を示す斜視図
【図１６】同参考の形態８の天井扇を示す図（（ａ）停止時部分側面図、（ｂ）運転時部分側面図）
【図１７】同参考の形態９の天井扇を示す図（（ａ）逆対称積層複合材料展開図、（ｂ）斜視図）
【図１８】同参考の形態９の天井扇を示す図（（ａ）停止時部分側面図、（ｂ）運転時部分側面図）
【図１９】同参考の形態１０の天井扇を示す部分側断面図
【図２０】従来の天井扇を示す側面図
【発明を実施するための形態】
【００２４】
本発明の請求項１記載の発明は、回転軸の一端を天井面側に固定する取り付け手段と、回転軸を中心に回転する電動機と、電動機の全部または一部を内包する回転体と、電動機または回転体に固定される複数の羽根板を備え、電動機と共に羽根板が回転し送風を行う天井扇で、天井扇の運転時に羽根板の弦長が延長され、前記羽根板の面積が増えるようにした天井扇としたものであり、天井扇の運転中に風速、風量を増大させるために羽根板の弦長を増加させることにより、羽根板の仕事量が増加し、回転数の上昇を抑制して風速、風量を増大させ、広範囲に送風させることができ、また運転停止時に羽根板の弦長が短くなることにより外観を向上させることができるという作用を有する。
【００２５】
また、一つの羽根板が、回転体に固定される主板と、一つ以上の弦長延長板で構成されている天井扇としたものであり、簡素な構造で天井扇の運転時に羽根板の弦長が増加するようにできるため、低コストで回転数の上昇を抑制して風速、風量を増大させ、広範囲に送風させることができ、また運転停止時に羽根板が短くなることにより外観を向上させることができるという作用を有する。
【００２６】
また、羽根板の回転による遠心力で羽根板の弦長が延長されるようにした天井扇としたものであり、天井扇の風速、風量を増大させるために回転数を上昇させようとすると、天井扇に電動機による回転以外の外力を加えることなく遠心力により羽根板の弦長が大きくなり、羽根板の仕事量の増加により、さらに回転数の上昇を抑制して風速、風量を増大させ、広範囲に送風することができ、また運転停止時に羽根板の弦長が短くなり外観を向上することができるという作用を有する。
【００２７】
また、遠心力で弦長が延長された羽根板を、ばねの復元力によって復元するようにした天井扇としたものであり、運転時には天井扇に電動機による回転以外の外力を加えることなく羽根板の弦長を大きくさせて回転数の上昇を抑制して風速、風量を増大させ、広範囲に送風することができ、またばねの復元力により確実に運転停止時に羽根板の弦長を縮めることができ、運転停止時に外観を向上させることができるという作用を有する。
【００３０】
以下、本発明の実施の形態について図面を参照しながら説明する。
【００３１】
（参考の形態１）
図１、２に示すように、天井扇１は、回転軸２の一端を天井面側に固定するための取り付け手段３と、回転軸２を中心に回転する電動機４と、電動機４を内包し電動機４と共に回転する外径２５０ｍｍの回転体５とを備え、回転体５に固定される主板６と主板６と径方向に平行にスライド可能で天井扇１の外径を延長できる径延長板７とからなる羽根板８が、取り付け角度θを持って回転軸２と垂直な平面と平行に等ピッチで３枚固定されている。この例では取り付け角度θは３０度とする。また主板６の下側端面９にはスリット穴１０を備え、径延長板７に設けられた突起１１がスリット穴１０に位置しており、突起１１とスリット穴１０の内周側端１２がばね１３で連結されており、主板６の外径は６００ｍｍ、径延長板７の長さは２５０ｍｍで、径延長板７をスライドさせることにより羽根板８の外径が６００ｍｍから９００ｍｍの間で可動な構造となっている。また取り付け手段３は、天井１４にあらかじめ備えられた引っ掛けシーリングに固定することができる引っ掛け部材とする。
【００３２】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い羽根板８には径方向に遠心力が働くため、径方向にスライド可能な径延長板７が遠心力によりばね１３の引張り力に反して径方向外側に移動し、羽根板８の外径が大きくなる。羽根板８の外径が大きくなると羽根板８の下面１５の面積が増え、空気抵抗により羽根板８に対する負荷が上昇し、回転数は減少しようとするため、回転数と遠心力とばね１３の引張り力による復元力がバランスする回転数と羽根板８の外径で定常となる。その状態を図３に示す。よって回転数の上昇を抑制できるため騒音の上昇を抑制でき、また羽根板８の外径が大きくなることで羽根板８の仕事量と外周速が増加し、風速、風量を増大させ、広範囲に送風させることができる。
【００３３】
また運転を停止させると、ばね１３の引張り力による復元力により径延長板７が径方向内側に移動し、羽根板８の外径は短くなり、図１の状態に戻るため、羽根板８と回転体５の接合部の負荷を軽減させることができ、また羽根板８の自重による垂れや、羽根板８の外径が大きいことによる圧迫感が減少し、外観を向上させることができる。
【００３４】
（参考の形態２）
図４に示すように、羽根板８を構成する径延長板７は内周側が開口された筒状となっており、径延長板７の任意の周方向断面における弦長Ｌｂは主板６の弦長Ｌａより大きく、径延長板７の筒状の内部に主板６が内包され、径方向にスライド可能な構成となっている。また径延長板７の下側端面９にはスリット穴１０を備え、主板６に設けられた突起１１がスリット穴１０に位置しており、突起１１がスリット穴１０の外周側端１８がばね１３で連結されている。
【００３５】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い羽根板８には径方向に遠心力が働くため、径方向にスライド可能な径延長板７が遠心力によりばね１３の引張り力に反して径方向外側に移動し、羽根板８の外径が大きくなる。（その状態を図５に示す。）羽根板８の外径が大きくなることで羽根板８の仕事量と外周速が増加し、回転数の上昇を抑制して風速、風量を増大させ、また、径延長板７の弦長Ｌｂの方が主板６の弦長Ｌａより長いため、周速が一番速く仕事量の多い外周部にさらに仕事をさせることでさらに風速、風量を増大させ、広範囲に送風させることができる。
【００３６】
また運転を停止させると、ばね１３の引張り力による復元力により径延長板７が径方向内側に移動し、羽根板８の外径は短くなるため、羽根板８と回転体５の接合部の負荷を軽減させることができ、また羽根板８の自重による垂れや、羽根板８の外径が大きいことによる圧迫感が減少し、外観を向上させることができる。
【００３７】
（参考の形態３）
図６に示すように、径延長板７に主板６と重なり合う重なり部１９と、重なり合わない非重なり部２０を備え、非重なり部２０の弦長Ｌｏが重なり部１９の弦長Ｌｉよりも長い構成となっている。この例では、非重なり部２０の弦長Ｌｏは重なり部１９の弦長Ｌｉよりも２０％長くなっている。
【００３８】
この構成により、周速が一番速く仕事量の多い外周部の弦長Ｌｏが長くなるため、回転数の上昇を抑制して風速、風量を増大させ、広範囲に送風させることができ、また仕事量の少ない内周側の重なり部１９の弦長Ｌｉが小さいため軽量化し、低コストにすることができる。
【００３９】
（参考の形態４）
図７に示すように、天井扇１は、回転軸２の一端を天井面側に固定するための取り付け手段３と、回転軸２を中心に回転する電動機４と、電動機４を内包し電動機４と共に回転する外径２５０ｍｍの回転体５とを備え、回転体５に放射状に固定される棒状材２１を介して、羽根板８が回転軸２と垂直な平面と平行に等ピッチで３枚固定されている。また、羽根板８には棒状材２１を内包できる穴を備え、棒状材２１の先端と穴がばね１３で連結されており、羽根板８をスライドさせることにより羽根板８の外径が６００ｍｍから９００ｍｍの間で可動な構造となっている。また取り付け手段３は、天井１４にあらかじめ備えられた引っ掛けシーリングに固定することができる引っ掛け部材とする。棒状材２１としては、棒状で強度があればよく、例えば、鉄パイプなどがある。
【００４０】
この構成により、下方に送風するために電動機４により羽根板８が回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い羽根板８には径方向に遠心力が働くため、径方向にスライド可能な羽根板８が遠心力によりばね１３の引張り力に反して径方向外側に移動し、羽根板８の外径が大きくなる。羽根板８の外径が大きくなると羽根板８の下面１５の面積が増え、空気抵抗により羽根板８に対する負荷が上昇し、回転数は減少しようとするため、回転数と遠心力とばね１３の引張り力による復元力がバランスする回転数と羽根板８の外径で定常となる。よって、棒状材２１という簡素な構造で、回転数の上昇を抑制できるため騒音の上昇を抑制でき、また羽根板８の外径が大きくなることで羽根板８の仕事量と外周速が増加し、風速、風量を増大させ、広範囲に送風させることができる。
【００４１】
また運転を停止させると、ばね１３の引張り力による復元力により径延長板７が径方向内側に移動し、羽根板８の外径は短くなり、羽根板８と回転体５の接合部の負荷を軽減させることができ、また羽根板８の外径が大きいことによる圧迫感が減少し、外観を向上させることができる。
【００４２】
（参考の形態５）
図８（ａ）に示すように、回転体５に固定される主板６と主板６と平行にスライド可能な径延長板７とからなる羽根板８が、回転軸２と垂直な平面に対して径方向上向きに１０度の仰角βをもって等ピッチで３枚固定されている。また主板６の下側端面９にはスリット穴１０を備え、径延長板７がスライドして外れないように径延長板７に設けられた突起１１がスリット穴１０に位置している。
【００４３】
羽根板８が、回転軸２と垂直な平面に対して径方向上向きに１０度の仰角βをもっているため、径延長板７は自重により羽根径が縮む方向に力が働くため、運転停止時に羽根板８の外径を縮めることができ、羽根板８と回転体５の接合部の負荷を軽減させることができ、また外観を向上させることができる。
【００４４】
また、図８（ｂ）に示すように、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い羽根板８には径方向に遠心力が働くが、径方向にスライド可能な径延長板７が遠心力により径延長板７の自重による復元力に反して径方向外側に移動し、羽根板８の外径が大きくなる。羽根板８の外径が大きくなると羽根板８の下面１５の面積が増え、空気抵抗により羽根板８に対する負荷が上昇し、回転数は減少しようとするため、回転数と遠心力と径延長板７の自重による復元力がバランスする回転数と羽根板８の外径で定常となる。よって回転数の上昇を抑制できるため騒音の上昇を抑制でき、また羽根板８の外径が大きくなることで羽根板８の仕事量と外周速が増加し、風速、風量を増大させ、広範囲に送風させることができる。
【００４５】
（参考の形態６）
図９に示すように、天井扇１は主板６と径延長板７からなる３枚の羽根板８を備え、回転体５の内部には電動機４の回転により回転しないように固定された補助電動機２２が内包されており、補助電動機２２の巻取り軸２３には一端が径延長板７に連接された金属帯２４が３本固定されており、補助電動機２２の回転による金属帯２４の巻取りと繰り出しにより径延長板７を主板６と平行にスライドさせ、３枚の羽根板８を同時に伸縮できる構成となっている。
【００４６】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために補助電動機２２により羽根板８の外径を確実に増加させることができるため、回転数の上昇を抑制して騒音の上昇を抑制でき、また羽根板８の外径が大きくなることで羽根板８の仕事量と外周速が増加し、風速、風量を増大させ、広範囲に送風させることができる。
【００４７】
また運転停止時には補助電動機２２により正確に確実に羽根板８の外径を短くすることができるため、羽根板８と回転体５の接合部の負荷を軽減させることができ、また外観を向上させることができる。
【００４８】
また、補助電動機２２で同時に複数の羽根板８の外径を伸縮させることができるため、低コストで、また複数の羽根板８の外径が確実に同じ長さにできるため、天井扇１の回転バランスを確実に保つことができ、振動や騒音を抑制することができる。
【００４９】
なお、羽根板８の延長は回転による遠心力を利用し、停止時の羽根板８の縮小を補助電動機２２で行う構成としても良い。
【００５０】
またなお、狭い範囲のみ送風１７が必要な場合は補助電動機２２により羽根板８を縮小した状態で羽根板８を回転させることができ、低消費電力で天井扇１を使用することができる。
【００５１】
（実施の形態１）
図１０から１２に示すように、天井扇１は、回転軸２の一端を天井面側に固定するための取り付け手段３と、回転軸２を中心に回転する電動機４と、電動機４を内包し電動機４と共に回転する外径２５０ｍｍの回転体５とを備え、回転体５に固定され下側端面９が開口した主板６と主板６に内包され主板６と平行にスライド可能な弦延長板２５とからなる羽根板８が、取り付け角度θを持って回転軸２と垂直な平面と平行に等ピッチで３枚固定されている。この例では天井扇１の羽根板８の外径は９００ｍｍとし、弦延長板２５は径方向長さが２５０ｍｍ、周方向幅５０ｍｍ、取り付け角度θは３０度とする。主板６と弦延長板２５は両端に回動軸２６を備えた２本の連結板２７でそれぞれ回動可能に連結されており、また連結板２７は主板６とばね１３で連結され、天井扇１の運転停止時にはばね１３により連結板２７が径方向に沿うように応力が働き、弦延長板２５は主板６に内包されて固定される構成となっている。
【００５２】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い弦延長板２５に径方向に遠心力が働き、ばね１３の引張り力に反して連結板２７が径方向に対し垂直になるように回動し、弦延長板２５が主板６の下側端面９から突出し、羽根板８の弦長Ｌが長くなる。羽根板８の弦長Ｌが長くなると羽根板８の下面１５の面積が増え、また羽根板８の取り付け角度θも３５度に大きくなり、空気抵抗により羽根板８に対する負荷が上昇し、回転数は減少しようとするため、回転数と遠心力とばね１３の引張り力による復元力がバランスする回転数と羽根板８の弦長で定常となる。よって回転数の上昇を抑制できるため騒音の上昇を抑制でき、また羽根板８の弦長Ｌが長くなることで羽根板８の仕事量が増加し、風速、風量を増大させ、広範囲に送風させることができる。
【００５３】
また運転を停止させると、ばね１３の引張り力による復元力により連結板２７が径方向に沿うように回動し、弦延長板２５が主板６内に移動し、羽根板８の弦長Ｌは短くなるため、羽根板８の弦長が大きいことによる圧迫感が減少し、外観を向上させることができる。
【００５４】
（実施の形態２）
図１３に示すように、天井扇１は主板６と弦延長板２５からなる３枚の羽根板８を備え、回転体５の内部には電動機４の回転により回転しないように固定された補助電動機２２が内包されており、補助電動機２２の巻取り軸２３には一端が弦延長板２５に連接された金属帯２４が３本固定されている。主板６と弦延長板２５は２本の連結板２７でそれぞれ回動可能に連結されており、補助電動機２２の回転による金属帯２４の巻取りと繰り出しにより連結板２７を回動させ、弦延長板２５を主板６の下側端面９から突出させたり、引っ込めさせたりして、３枚の羽根板８の弦長Ｌを同時に伸縮できる構成となっている。
【００５５】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために補助電動機２２により羽根板８の弦長を確実に増加させることができるため、回転数の上昇を抑制して騒音の上昇を抑制でき、また羽根板８の弦長が大きくなることで羽根板８の仕事量が増加し、風速、風量を増大させ、広範囲に送風させることができる。
【００５６】
また運転停止時には補助電動機２２により正確に確実に羽根板８の弦長を短くすることができるため、外観を向上させることができる。
【００５７】
また、補助電動機２２で同時に複数の羽根板８の弦長を伸縮させることができるため、低コストで、また複数の羽根板８の弦長を確実に同じ長さにできるため、天井扇１の回転バランスを確実に保つことができ、振動や騒音を抑制することができる。
【００５８】
なお、羽根板８の弦長の延長は回転による遠心力を利用し、停止時に羽根板８の弦長の縮小を補助電動機２２で行う構成としても良い。
【００５９】
（参考の形態７）
図１４に示すように、天井扇１は、回転軸２の一端を天井面側に固定するための取り付け手段３と、回転軸２を中心に回転する電動機４と、電動機４を内包し電動機４と共に回転する外径２５０ｍｍの回転体５とを備え、回転体５に固定される鉄製の羽根板８が、回転軸２と垂直な平面と平行に等ピッチで３枚固定されている。羽根板８の外径が９００ｍｍで、取り付け手段３は、天井１４にあらかじめ備えられた引っ掛けシーリングに固定することができる引っ掛け部材とする。またそれぞれの羽根板８の下面１５から径方向外側下向きに長さ７０ｍｍの支柱２８が２５度の角度をもって羽根板８に固定されており、支柱２８の先端には球状の重り２９が固定されている。
【００６０】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、風速、風量を増大させるために電動機４の出力を増やし回転数を上昇させるに従い、羽根板８に対し径方向外側下向きに角度をもった支柱２８の先端に固定された重り２９に径方向に遠心力が働き、それに伴い支柱２８が回転軸２と垂直な平面と平行になろうとする力が働くことで羽根板８は鉄材料の弾性により上向きに曲げられ、送風１７は外側に広がるため、広範囲に送風させることができる。
【００６１】
（参考の形態８）
図１５、１６に示すように、天井扇１は、回転軸２の一端を天井面側に固定するための取り付け手段３と、回転軸２を中心に回転する外径２５０ｍｍの回転体５とを備え、回転体５に固定される鉄製の羽根板８が、取り付け角度θを持って回転軸２と垂直な平面と平行に等ピッチで３枚固定されている。この例では取り付け角度θは３０度とする。羽根板８の外径は９００ｍｍで、羽根板８の外周側端１８の中央部には、羽根板８に直行する方向の両側に５０ｍｍの長さの支柱２８が固定されており、支柱２８の先端にはそれぞれ球状の重り２９が固定されている。
【００６２】
この構成により、下方に送風するために羽根板８が羽根板８の下面１５に圧力がかかる回転方向１６に回転すると、羽根板８の昇圧作用により、羽根板８から下方へ送風するが、風速、風量を増大させるために電動機４の出力を増やし回転数を上昇させるに従い、羽根板８の外周側端１８に固定された支柱２８の先端の重り２９それぞれに径方向に遠心力が働き、それに伴い支柱２８が回転軸２と垂直な平面と平行になろうとする力が働くことで羽根板８は鉄材料の弾性により周方向の取り付け角度が増加されるようにひねられ、外周部の取り付け角度θを増加させることでき、回転数の上昇を抑制して風速、風量を増大させ、広範囲に送風させることができる。
【００６３】
（参考の形態９）
図１７、１８に示すように、羽根板８が、引張り荷重に対して外周部の取り付け角度θが大きくなるようなねじり変形が生じる特性をもつ、強化繊維の配向角αが逆対称になるように積層した逆対称積層複合材料で構成されている。この例では、逆対称積層複合材料はカーボン繊維を強化繊維とするエポキシ樹脂が主材の厚さ０．１５ｍｍの複合材料層３０を１６層積層したものであり、径方向を軸として回転方向１６の向きを正としたとき、強化繊維の配向角αがそれぞれ−６０度、３０度、−３０度、６０度となる複合材料層がそれぞれ１層、７層、７層、１層で積層されている。また羽根板８の取り付け角度θは３０度とする。
【００６４】
この構成により、下方に送風するために羽根板８が羽根板８の下面１５に圧力がかかる回転方向１６に回転すると、羽根板８の昇圧作用により、羽根板８から下方へ送風するが、風速、風量を増大させるために回転数を上昇させるに従い、遠心力により羽根板８に径方向に引張り荷重がかかり、逆対称積層複合材料の特性により周方向の取り付け角度が増加されるようにひねられ、外周部の取り付け角度θを増加させることでき、回転数の上昇を抑制して風速、風量を増大させ、広範囲に送風させることができる。
【００６５】
（参考の形態１０）
図１９に示すように、天井扇１は、回転軸２の一端を天井面側に固定するための取り付け手段３と、回転軸２を中心に回転する電動機４と、電動機４を内包し電動機４と共に回転する外径２５０ｍｍの回転体５とを備え、回転体５に固定される羽根板８が回転軸２と垂直な平面と平行に等ピッチで３枚固定されている。羽根板８の外径が９００ｍｍで、取り付け手段３は、天井１４にあらかじめ備えられた引っ掛けシーリングに固定することができる引っ掛け部材とする。回転軸２は一方をスライドして内包できる二つのパイプ３１でできており、回転体５の内部には電動機４の回転により回転しないように固定された補助電動機２２が内包されており、補助電動機２２の巻取り軸２３には一端が取り付け手段３に連接された金属帯２４が固定されており、補助電動機２２の回転による金属帯２４の巻取りと繰り出しにより回転軸２のパイプ３１をスライドさせて伸縮できる構成となっている。
【００６６】
この構成により、下方に送風するために電動機４により羽根板８が羽根板８の下面１５に圧力がかかる回転方向１６に回転すると、羽根板８の昇圧作用により、天井１４と羽根板８の間から羽根板８に室内空気が流入し、羽根板８から下方への送風１７が発生するが、天井扇１の運転中に補助電動機２２により天井扇１の回転軸２の長さを長くして天井１４と羽根板８の間の距離を増加させることで流入時の損失を低減できるため、羽根板８への空気の流入量を増加させることにより回転数の上昇を抑制して風速、風量を増大させ、広範囲に送風させることができる。
【００６７】
また運転停止時に天井扇１の回転軸２の長さを短くすることで天井扇１が天井１４に近接させることができるため、圧迫感を軽減させることができ、外観を向上させることができる。
【産業上の利用可能性】
【００６８】
本発明は、運転時に風速、風量を増大させ、広範囲に送風でき、運転停止時に羽根板の接合部の負荷を軽減させることができ、外観を向上できる天井扇を提供するものである。
【符号の説明】
【００６９】
１    天井扇
２    回転軸
３    取り付け手段
４    電動機
５    回転体
６    主板
７    径延長板
８    羽根板
９    下側端面
１０  スリット穴
１１  突起
１２  内周側端
１３  ばね
１４  天井
１５  下面
１６  回転方向
１７  送風
１８  外周側端
１９  重なり部
２０  非重なり部
２１  棒状材
２２  補助電動機
２３  巻取り軸
２４  金属帯
２５  弦延長板
２６  回動軸
２７  連結板
２８  支柱
２９  重り
３０  複合材料層
３１  パイプ
Ｌ    弦長
Ｌａ  弦長
Ｌｂ  弦長
Ｌｉ  弦長
Ｌｏ  弦長
θ    取り付け角度
α    配向角
β    仰角
【図１】
0005234156.tif 000002
【図２】
0005234156.tif 000003
【図３】
0005234156.tif 000004
【図４】
0005234156.tif 000005
【図５】
0005234156.tif 000006
【図６】
0005234156.tif 000007
【図７】
0005234156.tif 000008
【図８】
0005234156.tif 000009
【図９】
0005234156.tif 000010
【図１０】
0005234156.tif 000011
【図１１】
0005234156.tif 000012
【図１２】
0005234156.tif 000013
【図１３】
0005234156.tif 000014
【図１４】
0005234156.tif 000015
【図１５】
0005234156.tif 000016
【図１６】
0005234156.tif 000017
【図１７】
0005234156.tif 000018
【図１８】
0005234156.tif 000019
【図１９】
0005234156.tif 000020
【図２０】
0005234156.tif 000021